(57)【特許請求の範囲】
【請求項１】
表表紙と裏表紙との間に多数枚の紙を挟み込んでなるノート本体の背部側領域に貼り付けられる製本用背部材において、
前記ノート本体側に接着される基材紙と、この基材紙の外面側に設けられるとともにコロナ放電による表面処理が施された透明な樹脂シートとを含み、当該樹脂シートは内面側に設けられた印刷層を備えているとともに、前記基材紙に接着剤層を介して接着されていることを特徴とする製本用背部材。
【請求項２】
前記樹脂シートはポリオレフィン系樹脂により構成されていることを特徴とする請求項１記載の製本用背部材。
【請求項３】
前記シートは、非延伸ポリプロピレンにより構成されていることを特徴とする請求項１又は２記載の製本用背部材。
【発明の詳細な説明】
【０００１】
【発明の属する技術分野】
本発明は製本用背部材に係り、更に詳しくは、破れ難い耐久性を備えた製本用背部材に関する。
【０００２】
【従来の技術】
従来より、ノート等を製本する場合には、表裏一対の表紙間に多数枚の紙を挟み込み、これらの背部領域に背部材を貼り付けて表紙及び中間の紙を一体化させる構成が採用されている。この背部材としては、図４に示されるように、前記背部領域に接着される基材紙４０の外面側にカレンダートッピングにより形成された塩化ビニル樹脂層４１を設け、その後に、塩化ビニル樹脂層４１の表面をエンボス加工したタイプのものが知られている。また、その他の構成としては、基材紙４０にアクリル樹脂を含浸させ、上面にアクリル系樹脂塗料をコーティングさせたタイプの背部材も存在する。
【０００３】
【発明が解決しようとする課題】
しかしながら、従来の背部材にあっては、塩化ビニル樹脂の可塑剤が移行することがあり、印刷物と接した場合に、その印刷物を侵すという不都合がある。また、アクリル樹脂を基材紙に含浸させ、その上面に同樹脂塗料をコーティングさせたタイプのものにあっては、摩耗及び破損し易いという不都合がある。
【０００４】
【発明の目的】
本発明は、このような不都合に着目して案出されたものであり、その目的は、背部材の強度を高めることによって摩耗等が生じ難い耐久性を備え、且つ、可塑剤の移行をなくして印刷物を汚損することのない製本用背部材を提供することにある。
【０００５】
【課題を解決するための手段】
前記目的を達成するため、本発明は、表表紙と裏表紙との間に多数枚の紙を挟み込んでなるノート本体の背部側領域に貼り付けられる製本用背部材において、
前記ノート本体側に接着される基材紙と、この基材紙の外面側に設けられるとともにコロナ放電による表面処理が施された透明な樹脂シートとを含み、当該樹脂シートは内面側に設けられた印刷層を備えているとともに、前記基材紙に接着剤層を介して接着される、という構成を採っている。このような構成を採用することにより、従来のコーティングに比べて、樹脂シート自体が摩耗や破損に強い特性を発揮するようになり、基材紙を強度的にバックアップして背部材全体の強度を高めることができる。また、印刷層を汚損から保護することができ、種々の印刷を施すことで多様の背部材を構成することが可能となる。
【０００７】
また、前記樹脂シートは、例えば、ポリプロピレン、ポリエチレン等のポリオレフィン系樹脂により構成するとよい。これにより、背部材の耐久性を一定に維持できるとともに、焼却処分する際の有害ガスの発生を回避することができる。
【０００８】
更に、本発明におけるシートは、非延伸ポリプロピレンにより構成することが好ましい。非延伸フィルムは、その性状として、延伸されていない分だけねばり、すなわち延び代を保有することができ、従って、頻繁な開閉を伴うノートの背部材に適用したときに、その開閉に十分な追従性を発揮して十分な強度を維持することが可能となる。
【０００９】
なお、本発明における樹脂シートは、コロナ放電による表面処理が施されたものを用いるとよく、これにより、印刷層を設けた場合の印刷精度を良好に確保することができる。この樹脂シートの厚みは、基材紙を補強するに足りる厚みに設定され、本発明では、４０μｍ〜８０μｍの厚みを例示することができる。    ４０μｍ未満では、補強効果が弱い一方、８０μｍを越えると、背部材全体の厚みが大きくなりすぎて表紙との段差が大きくなってしまうためである。また、基材紙は、５０μｍ〜１２０μｍとすることが好ましい。
【００１０】
【実施例】
以下、本発明の実施例を図面を参照しながら説明する。
【００１１】
図１には、本発明がノートに適用された状態の概略斜視図が示され、図２には、その要部拡大断面図が示されている。これらの図において、ノート１０は、表表紙１１及び裏表紙１２の中間に多数枚の用紙Ｐを挟み込んでなるノート本体１３と、このノート本体１３の一端側、すなわち表表紙１１、裏表紙１２及び紙Ｐの背部側領域を跨ぐように貼り付けられた背部材１４とを備えて構成されている。
【００１２】
背部材１４は、前記背部側領域を表裏に亘って跨ぐ幅を備えた帯状をなし、当該背部材１４は、図３にも示されるように、基材紙２０と、この基材紙２０の外面側に接着剤層２１を介して設けられた印刷層２３及び樹脂シート２４とを備えて構成されている。印刷層２３は、樹脂シート２４の内面側にグラビア印刷を施すことによって設けられ、樹脂シート２４を透明な非延伸の、すなわち延伸されていないポリプロピレンシートによって構成することで、当該樹脂シート２４を通じて印刷層２３が表出するようになっている。本実施例におけるシート材料として用いられるポリプロピレンは、ホモポリマータイプのものが採用されている。また、樹脂シート２４は、表面がコロナ放電処理されたものが用いられて印刷層２３の印刷精度が高められているとともに、外面すなわち表面にはエンボス加工が施されて表面への傷付き易さを低減され、印刷層２３と相俟って一定の化粧効果が得られるようになっている。なお、特に限定されるものではないが、本実施例における樹脂シート２４の厚みは約５０μｍとされている。
【００１３】
前記背部材１４は、その内面側に接着剤層２７（図２参照）を介してノート本体１０の背部側領域に接着されている。
【００１４】
なお、前記実施例では、樹脂シート２４の内面側に印刷層２３を設けた構成を採用したが、本発明はこれに限定されるものではなく、樹脂シート２４が着色されたものであってもよい。但し、樹脂シート２４を直接着色した場合には、経時的な色あせが起こり得るので、樹脂シート２４の内面側に印刷層２３を設けた方が好ましい。また、樹脂シート２４の成形材料であるポリプロピレンはホモポリマータイプのものを使用していることにより、裁断の際に、いわゆる毛羽立ちし難くなり、ノートの背部材に用いた際の耐久性を高めることができる。
【００１５】
【発明の効果】
以上説明したように、本発明によれば、ノート本体の背部側領域に貼り付けられる製本用背部材が、基材紙と、これの外面側に積層された透明な樹脂シートと、当該樹脂シートの内面側に設けられた印刷層とにより構成され、接着剤層を介して樹脂シートと基材紙とを接着する構成としたから、樹脂シート自体が破れに強い特性を発揮して基材紙を強度的にバックアップするようになり、従って、基材紙を破れ難くして長期使用が可能な耐久性を備えた製本用背部材を提供することが可能となる。また、印刷層を汚損から保護すると同時に当該印刷層の色あせも防止することができ、長期に亘って装飾的効果を維持することができる他、種々の印刷を施すことで多種多様な製本用背部材を提供することが可能となる。
【００１７】
また、前記樹脂シートをポリプロピレン、ポリエチレン等により構成した場合には、背部材の耐久性を一定に維持できるとともに、焼却処分する際の有害ガスの発生を回避することもきる。
【００１８】
更に、本発明のシートを非延伸ポリプロピレンにより構成した場合には、本の表紙を頻繁に開閉しても、無理なく開閉動作に追従することができるようになり、長期使用に十分に耐え得ることができる。
【図面の簡単な説明】
【図１】実施例に係るノートの概略斜視図。
【図２】図１のＡ−Ａ線矢視拡大断面図。
【図３】実施例に係る背部材を分解した拡大断面図
【図４】従来の背部材を分解した拡大断面図。
【符号の説明】
１０  ノート
１１  表表紙
１２  裏表紙
１４  背部材
２０  基材紙
２１  接着剤層
２３  印刷層
２４  樹脂シート
Ｐ  紙
【図１】
0003600520.tif 000002
【図２】
0003600520.tif 000003
【図３】
0003600520.tif 000004
【図４】
0003600520.tif 000005